(57)【要約】【課題】観賞位置に応じて、自然に見える立体的画像を観賞者に提供する。【解決手段】複数の観賞位置のそれぞれに対して観賞位置に応じた画像を表示する表示部と、２次元画像を表示領域内において左右にずらした左側画像および右側画像を生成する生成部と、少なくとも１つの観賞位置について、表示部により、観賞者の左眼および右眼に対して左側画像および右側画像をそれぞれ表示させる表示処理部とを備える表示装置、並びに当該表示装置に関する表示方法、および表示プログラムを提供する。【選択図】図１
2010259017.tif 000002
【特許請求の範囲】
【請求項１】
複数の観賞位置のそれぞれに対して観賞位置に応じた画像を表示する表示部と、
２次元画像を表示領域内において左右にずらした左側画像および右側画像を生成する生成部と、
少なくとも１つの観賞位置について、前記表示部により、観賞者の左眼および右眼に対して前記左側画像および前記右側画像をそれぞれ表示させる表示処理部と、
を備える表示装置。
【請求項２】
前記表示処理部は、前記複数の観賞位置のそれぞれについて、前記表示部により、観賞者の左眼および右眼に対して前記左側画像および前記右側画像をそれぞれ表示させる
請求項１に記載の表示装置。
【請求項３】
前記表示部は、表示領域内の同一座標に位置する画素領域毎に、複数の観賞位置に対応した複数の左眼用画素および複数の右眼用画素を有し、
前記表示処理部は、それぞれの画素領域について、前記複数の左眼用画素の画素値を前記左側画像における対応する位置の画素の画素値とし、前記複数の右眼用画素の画素値を前記右側画像における対応する位置の画素の画素値とする
請求項２に記載の表示装置。
【請求項４】
前記複数の観賞位置における観賞者の存否を検出する検出部を更に備え、
前記表示処理部は、前記観賞者が存在する観賞位置については、前記表示部により、観賞者の左眼および右眼に対して前記左側画像および前記右側画像をそれぞれ表示させ、他の観賞位置については、前記表示部により、前記２次元画像を表示させる
請求項１から３のいずれかに記載の表示装置。
【請求項５】
前記検出部は、前記観賞者が、前記複数の観賞位置の少なくとも１つから予め定められた範囲内に位置するか否かを検出し、
前記表示処理部は、前記観賞者が前記範囲内に位置する観賞位置について、前記表示部により、観賞者の左眼および右眼に対して前記左側画像および前記右側画像をそれぞれ表示させる
請求項４に記載の表示装置。
【請求項６】
前記検出部は、少なくとも１人の観賞者を特定し、
前記表示処理部は、前記検出部により特定された前期鑑賞者が２以上の前記観賞位置間を移動した場合に、移動元の前記観賞位置に対して表示した前期左側画像および前記右側画像を移動先の前記観賞位置に対して表示させる
請求項４または５に記載の表示装置。
【請求項７】
前記表示処理部は、表示画像の外縁に設ける外枠の画像を前記表示部により更に表示させる
請求項１から６のいずれかに記載の表示装置。
【請求項８】
前記生成部は、前記２次元画像を、前記２次元画像内の各対象物に依存しない大きさ分前記外枠に対して相対的に位置をずらして前記左側画像および前記右側画像を生成する
請求項７に記載の表示装置。
【請求項９】
前記生成部は、前記２次元画像内の位置に応じて予め定められたずれ量分左右にずらした前記左側画像および前記右側画像を生成する
請求項１から８のいずれかに記載の表示装置。
【請求項１０】
前記生成部は、前記左側画像および前記右側画像の間のずれ量より小さいずれ量を与えた左側外枠画像および右側外枠画像を生成し、
前記表示処理部は、前記表示部により、観賞者の左眼および右眼に対して前記左側外枠画像および前記右側外枠画像を更にそれぞれ表示させる
請求項７から９のいずれかに記載の表示装置。
【請求項１１】
前記生成部は、前記ずれ量が０である前記左側外枠画像および前記右側外枠画像を生成する
請求項１０に記載の表示装置。
【請求項１２】
表示装置として、コンピュータを機能させる表示プログラムであって、
前記コンピュータを、
複数の観賞位置のそれぞれに対して観賞位置に応じた画像を表示する表示部と、
２次元画像を表示領域内において左右にずらした左側画像および右側画像を生成する生成部と、
少なくとも１つの観賞位置について、前記表示部により、観賞者の左眼および右眼に対して前記左側画像および前記右側画像をそれぞれ表示させる表示処理部と
して機能させる表示プログラム。
【請求項１３】
複数の観賞位置のそれぞれに対して観賞位置に応じた画像を表示する表示ステップと、
２次元画像を表示領域内において左右にずらした左側画像および右側画像を生成する生成ステップと、
少なくとも１つの観賞位置について、前記表示ステップにより、観賞者の左眼および右眼に対して前記左側画像および前記右側画像をそれぞれ表示させる表示処理ステップと、
を備える表示方法。
【発明の詳細な説明】
【技術分野】
【０００１】
本発明は、表示装置、表示方法、および表示プログラムに関する。
【背景技術】
【０００２】
従来、立体的な画像（３Ｄ画像）を提示する技術の一つとして、物体をそれぞれ右眼および左眼から見たときの右眼用画像および左眼用画像を生成して、それぞれ観賞者の右眼および左眼に対してだけ表示する技術（ステレオ立体視技術）が知られている。
【先行技術文献】
【特許文献】
【０００３】
【特許文献１】特開平１０−１１７３６２号公報
【特許文献２】特開２００２−２６２３１０号公報
【特許文献３】特開平８−２０５２０１号公報
【発明の概要】
【発明が解決しようとする課題】
【０００４】
ところで、ステレオ立体視技術は、視差情報を使用して観賞者に立体的画像を認識させるが、観賞位置によって観賞者へ不自然感を与えてしまう場合がある。特に裸眼において、表示装置は、複数の観賞者に対して違和感のない立体的画像を提供することは難しい。
【０００５】
そこで本発明は、上記の課題を解決することのできる表示装置、表示方法、および表示プログラムを提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の態様においては、複数の観賞位置のそれぞれに対して観賞位置に応じた画像を表示する表示部と、２次元画像を表示領域内において左右にずらした左側画像および右側画像を生成する生成部と、少なくとも１つの観賞位置について、表示部により、観賞者の左眼および右眼に対して左側画像および右側画像をそれぞれ表示させる表示処理部とを備える表示装置、並びに当該表示装置に関する表示方法、および表示プログラムを提供する。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】本実施形態に係る表示装置１０の構成を示す。
【図２】表示装置１０がパララックスバリア方式により立体的な画像を表示する場合の一例を示す。
【図３】表示装置１０が表示する左側画像および右側画像の一例を示す。
【図４】左側画像上の表示点、右側画像上の表示点、及び、観賞者により知覚される像の一例を示す。
【図５】左側画像または右側画像の一方のみが表示される非対応領域およびクロストークの一例を示す。
【図６】外枠画像の一例を示す。
【図７】表示装置１０が観賞者に対して立体的画像を与える観賞範囲の一例を示す。
【図８】本実施形態に係るコンピュータ１９００のハードウェア構成の一例を示す。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、本実施形態に係る表示装置１０の構成を示す。表示装置１０は、２次元画像から表示用画像を生成し、複数方向に異なる画像を表示させる。一例として、表示装置１０は、２次元画像に基づき、表示領域内において左右にずらした左側画像および右側画像を生成する。そして、表示装置１０は、右眼に対して出力する画像および当該観賞者の左眼に対して出力する画像を生成することにより、立体的に見えうる画像を生成する。ここで、表示装置１０は、デジタルフォトフレーム、テレビ受像機およびＰＣ用モニタ等の表示装置であってよい。なお、与えられる２次元画像は、静止画像であっても、時間的に連続する複数の静止画像を含む動画像であってもよい。
【００１１】
表示装置１０は、生成部１００と、検出部１１０と、表示処理部１２０と、表示部１３０を備える。生成部１００は、外部の装置、または、表示装置１０内に設けられた記憶媒体若しくは表示装置１０に装着された記録媒体から、２次元画像を取得する。そして、生成部１００は、２次元画像を表示領域内において左右にずらした左側画像および右側画像を生成する。
【００１２】
本実施形態においては、生成部１００は、２次元画像を、２次元画像内の各対象物に依存しない大きさ分外枠に対して相対的に位置をずらして左側画像および右側画像を生成する。より具体的には、生成部１００は、同一の２次元画像を、表示領域内において左右に瞳孔間距離以下の距離分ずらした左側画像および右側画像を生成する。生成部１００は、一例として、元の２次元画像を、瞳孔間距離の約１／２の距離分左方向にずらして左側画像を生成する。そして、生成部１００は、元の２次元画像を瞳孔間距離の約１／２の距離分右方向にずらして右側画像を生成する。
【００１３】
これに代えて、生成部１００は、２次元画像内の位置に応じて予め定められたずれ量分左右にずらした左側画像および右側画像を生成してもよい。また、生成部１００は、元の２次元画像を左方向にずらして生成された左側画像における、表示領域の左側境界から左側にはみ出した部分を削除してもよい。さらに、生成部１００は、元の２次元画像を右方向にずらして生成された右側画像における、表示領域の右側境界から右側にはみ出した部分を削除してもよい。
【００１４】
また、生成部１００は、左側画像および右側画像が表示される外縁に設ける外枠の画像を生成してもよい。ここで、生成部１００は、左側画像および右側画像が表示される各表示領域の周囲における、少なくとも一部に設けられる外枠として表示される外枠画像を生成してもよい。
【００１５】
この場合、表示装置１０は、表示部１３０が左側画像および右側画像の外縁の少なくとも一部、すなわち例えば、外枠画像を表示しない部分に設けられる外枠部としても機能する。従って、表示装置１０は、左側画像および右側画像に対し外枠を介して観賞させることができる。即ち、表示装置１０は、外枠の内側に左側画像および右側画像を表示することができる。これにより、表示装置１０によれば、左側画像および右側画像の周囲部分が途切れて見える感覚を観賞者に与えることなく、自然な左側画像および右側画像を提供することができる。
【００１６】
なお、生成部１００は、左側画像および右側画像の間のずれ量より小さいずれ量を与えた左側外枠画像および右側外枠画像を生成してもよい。ここで、生成部１００は、生成部は、ずれ量が０である左側外枠画像および右側外枠画像を生成してもよい。これにより、表示装置１０は、左側画像および右側画像の表示対象物よりも手前（観賞者側）に外枠を表示して、より自然な左側画像および右側画像を観賞者に提供することができる。
【００１７】
検出部１１０は、観賞者の位置を検出する。検出部１１０は、観賞者が、複数の観賞位置の少なくとも１つから予め定められた範囲内に位置するか否かを検出する。そして、検出部１１０は、検出した１または複数の観賞者の位置情報を、表示処理部１２０へ供給する。
【００１８】
ここで、検出部１１０は、予め定められた範囲として、それぞれの観賞位置に対して表示した画像が逆視状態、すなわち左側画像が右眼に見え右側画像が左眼に見える状態とならない範囲を用いてもよい。検出部１１０は、一例として、人感センサ、赤外線センサまたは光センサを有し、センサによって人物を検出する。また、検出部１１０は、観賞者の顔等の特徴部分を認識することにより、少なくとも１人の観賞者を特定してもよい。
【００１９】
これに代えて、検出部１１０は、表示装置１０の前面方向の画像を撮像する撮像装置を有し、撮像した画像内に写った人物の位置および大きさから、当該人物の位置およびまたは表示装置１０からの距離を求めてもよい。以上に示した表示装置１０は、通常は２次元画像を表示する一方で、立体的画像の観賞位置に近づいた観賞者に対しては、立体的な画像を提供できる。
【００２０】
表示処理部１２０は、少なくとも１つの観賞位置についてまたは複数の観賞位置のそれぞれに対して、表示部１３０により、観賞者の左眼および右眼に対して左側画像および右側画像をそれぞれ表示させる。さらに、表示処理部１２０は、一例として、表示画像の外縁に設ける外枠の画像を表示部１３０により、観賞者の左眼および右眼に対して左側外枠画像および右側外枠画像として更にそれぞれ表示させる。
【００２１】
また、表示処理部１２０は、当該表示装置１０が左側画像および右側画像を表示する場合に表示部１３０により外枠画像を表示させて、当該表示装置１０が２次元画像を立体的に表示しない場合に表示部１３０から外枠画像を表示させなくもよい。表示処理部１２０は、一例として、検出部１１０から観賞者の位置情報等のパラメータを取得して、外枠画像の表示を切り替える。これにより、表示装置１０は、左側画像および右側画像を提供しない場合において、有効な表示領域を広くすることができる。
【００２２】
表示部１３０は、１または複数の観賞位置のそれぞれに対して検出部１１０によって検出した観賞位置に応じた２次元画像、または左側画像および右側画像を表示する。このような表示装置１０は、観賞者の観賞位置に応じて左側画像を観賞者の左眼に対して出力し、右側画像を観賞者の右眼に対して出力することができる。
【００２３】
図２は、表示装置１０がパララックスバリア方式により立体的な画像を表示する場合の一例を示す。パララックスバリア方式においては、表示部１３０は、右眼用画素および左眼用画素が水平方向において交互に配列された表示パネルを有する。
【００２４】
また、表示部１３０は、表示パネルの前面、すなわち表示パネルより観賞者側に、水平方向において光を透過する箇所および光を遮断する箇所が交互に設けられたパララックスバリアを有する。パララックスバリアは、観賞位置に位置する観賞者の右眼に対して右眼用画素からの光を通して左眼用画素からの光を遮断すると共に、観賞者の左眼に対して右眼用画素からの光を遮断して左眼用画素からの光を通す。
【００２５】
表示処理部１２０は、表示部１３０の表示パネルにおける右眼用画素の配列により右側画像を表示させる。また、表示処理部１２０は、表示部１３０の表示パネルにおける左眼用画素の配列により左側画像を表示させる。これにより、表示処理部１２０は、観賞者の右眼に対して右側画像を表示させ、左眼に対して左側画像を表示させることができる。
【００２６】
本図においては、以上に示した通り、表示パネルの表示領域内の同一座標に位置する画素領域毎に、右眼用画素および左眼用画素を１つずつ設けている。したがって、本図においては、１つの観賞位置について右眼用画像および左眼用画像を鑑賞者の右眼および左眼に対して提供することができる。
【００２７】
これに代えて、表示部１３０は、表示領域内の同一座標に位置する画素領域毎に、複数の観賞位置に対応した複数の左眼用画素および複数の右眼用画素を有してもよい。この場合、表示処理部１２０は、表示部１３０内のそれぞれの画素領域について、複数の左眼用画素の画素値を左側画像における対応する位置の画素の画素値とし、複数の右眼用画素の画素値を右側画像における対応する位置の画素の画素値としてよい。これにより、表示処理部１２０は、複数の観賞位置に対して同じ右側画像および左側画像を提供することができる。
【００２８】
また、表示処理部１２０は、それぞれの画素領域について、少なくとも１つの観賞位置に対する左眼用画素の画素値を左側画像における対応する位置の画素の画素値とし、右眼用画素の画素値を右側画像における対応する位置の画素の画素値としてもよい。そして、表示処理部１２０は、それぞれの画素領域について、他の観賞位置に対する左眼用画素および右眼用画素の画素値を、２次元画像における対応する位置の画素の画素値とする。これにより、表示処理部１２０は、一部の観賞位置に対しては右側画像および左側画像によって立体的に画像を表示すると共に、他の観賞位置に対しては２次元画像を表示することができる。
【００２９】
以上において、表示処理部１２０は、右側画像および左側画像の一方を受け取って、受け取った画像の各画素の画素値を、右眼用画素および当該右眼用画素から予め設定されたずれ量分ずれた画素領域内の対応する左眼用画素の両方に対して反映してもよい。具体的には、表示処理部１２０は、表示パネルにおける水平ライン上の各画素を対応する画素値で駆動する場合に、列位置Ｘの画素領域に位置する左眼用画素と、列位置（Ｘ＋ずれ量）の画素領域に位置する右眼用画素の両方を、同一の画素値で駆動する。
【００３０】
以上に示した表示処理部１２０によれば、１または複数の観賞位置のそれぞれに対して、右側画像および左側画像を提供することができる。なお、表示部１３０は、パララックスバリア方式に代えて、レンティキュラ方式またはその他の方式により右側画像および左側画像を鑑賞者の右眼および左眼に対して表示してもよい。
【００３１】
図３は、表示装置１０が表示する左側画像および右側画像の一例を示す。表示装置１０は、生成部１００が表示領域内において左右に瞳孔間距離以下の距離分ずらしたまたは２次元画像内の位置に応じて予め定められたずれ量分左右にずらして生成した、左側画像および右側画像をそれぞれ観賞者の左眼および右眼へ与える。
【００３２】
ここで、瞳孔間距離は、人間が、左眼で見た左側画像の表示物と右眼で見た右側画像の表示物とを融合して一つの像として認識することができ、且つ、融合した像を無限遠に認識する距離である。瞳孔間距離は、一般に、観賞者の両眼の視線が並行となった場合の瞳間の距離（４０ｍｍから９０ｍｍ）である。従って、生成部１００は、２次元画像を表示領域内において左右に０より大きく９０ｍｍ以下の距離分ずらした左側画像および右側画像を生成する。
【００３３】
なお、人間は、両眼の視線が並行状態から左右に２〜３度程度開いた状態でも、両眼融合視をできる場合がある。従って、瞳孔間距離は、左眼の視線が並行状態から左側に３度以下（好ましくは２度）、右眼の視線が並行状態から右側に３度以下（好ましくは２度）ずれる距離であってもよい。ただし、このような場合、表示面上における瞳孔間距離は、観賞者と表示面との間の距離が遠くなるほど長くなる。
【００３４】
ここで、表示部１３０が２次元画像を表示する表示領域は、一例として、テレビ受像機の表示面、コンピュータのモニタ内に表示された１つのウィンドウ領域等の１つの画面上に形成された領域である。生成部１００は、一例として、与えられた２次元画像の画素サイズと表示領域の大きさとに応じて、左側画像および右側画像間の表示領域上における距離が瞳孔間距離となるように、左側画像と右側画像と間のデータ上における距離を変更してもよい。
【００３５】
図４は、左側画像上の表示点、右側画像上の表示点、及び、観賞者により知覚される像の一例を示す。人間が近距離の２次元画像を見ている場合、左眼に与えられている画像と右眼に与えられているが画像とは同一ではなく視差がある。人間は、この視差から、見ているものが２次元画像であると認識する。
【００３６】
また、人間が無限遠（例えば１０ｍ以上）の物体を見ている場合、左眼に与えられている画像と右眼に与えられているが画像とは、視差がなく同一となる。人間は、無限遠を見ている場合、左眼に与えられている画像と右眼に与えられている画像との間に視差が無いことにより、見ている物体及び景色等に立体感および臨場感を感じる。
【００３７】
表示装置１０は、観賞者の瞳孔間距離または予め定められたずれ量と同じだけ左右に距離ずらした視差のない（即ち、互いに同じ）右側画像および左側画像を生成する。そして、表示装置１０は、左側画像を観賞者の左眼に与え、右側画像を観賞者の右眼に与える。この結果、表示装置１０は、観賞者の左眼および右眼の視線を平行状態とする、即ち、観賞者の視線を輻輳させない（左眼および右眼の視線を交差させない）状態とすることができる。これにより、表示装置１０は、観賞者を、無限遠を見ている状態にすることができる。即ち、例えば、図４に示されるように、表示装置１０は、観賞者に、Ａ点（黒丸の点）およびＢ点（三角の点）をともに無限遠に位置する点として知覚させることができる。
【００３８】
このように表示装置１０は、観賞者に無限遠を見ている状態として且つ左眼と右眼とに視差のない画像を与えることにより、観賞者に立体的を感じる画像を提供することができる。例えば、表示装置１０は、例えば風景画像等に、窓から外を見たような臨場感を与えることができる。また、表示装置１０は、マクロ撮影などの近距離撮影の画像に、虫眼鏡でみたような実物感を与えることができる。
【００３９】
表示装置１０が、以上のような臨場感および実物感といった現実感を画像に与えることができる理由は、以下のように推定される。表示装置１０は、観賞者の視線を輻輳させないので、視差による像の位置の特定をさせることができない。しかし、視差が無い場合であっても、人間は、経験常識から導き出される実際の対象物の大きさと画角から、像の位置を推定している。そして、人間は、このような位置の推定を無意識かつ瞬時に行い、立体感とともに実寸の感覚を得る。従って、表示装置１０は、観賞者の視線を輻輳させなくても、以上のような現実感を画像に与えることができると推定される。
【００４０】
また、人間は、動画像を見ている場合、遠くの物体は動きが小さく、近くの物体は動きが大きく感じる。人間は、動画像を見ている場合、視差よりも、このような物体の動きに、より強く立体感を感じる。従って、表示装置１０は、動画像を表示させる場合には、観賞者に立体感をより強く感じさせることができる。
【００４１】
さらに、表示装置１０は、書割り効果と呼ばれる平面が立って見える現象、および、箱庭効果と呼ばれる、奥行きおよび飛び出し感を強調することによって画面の横方向の拡がり感を低下させる現象を発生させない。従って、表示装置１０によれば、自然な立体感および臨場感を有する立体的画像を提供することができる。
【００４２】
また、表示装置１０は、観賞者の視線を輻輳させないので、視覚の輻輳と調節との不一致が生じず、不快感を少なくすることができる。また、表示装置１０は、画面よりも遠い位置に立体像を知覚させるので、枠（例えば、窓枠および虫眼鏡の枠等）を通してみるような感覚を観賞者に与えることができる。従って、表示装置１０によれば、画面より前に飛び出して見える像が画面枠で不自然に切断される現象が生じず、自然な立体的画像を観賞者に提供することができる。
【００４３】
図５は、左側画像または右側画像の一方のみが表示される非対応領域およびクロストークの一例を示す。外枠画像を表示しない場合における表示領域の左辺部分には、１枚の２次元画像を左右にずらして右側画像および左側画像を生成した場合における左側画面は表示されるが右側画面は表示されない領域（即ち、右側画像および左側画像が重ならない非対応領域）が存在する。同様に、外枠画像を表示しない場合における表示領域の右辺部分には、右側画面は表示されるが左側画面は表示されない非対応領域が存在する。
【００４４】
また、表示領域の右端から瞳孔間距離分内側の位置、および、表示領域の左端から瞳孔間距離分内側の位置には、縦方向の線に見えるクロストーク（またはゴースト）が観察される。このような非対応領域およびクロストークは、観賞者に不自然感を与えてしまう。
【００４５】
図６は、外枠画像の一例を示す。そこで、生成部１００は、表示用画像に含まれる少なくとも非対応領域およびクロストークを覆う外枠画像を生成することが好ましい。即ち、生成部１００は、左辺および右辺のそれぞれの枠幅が少なくとも瞳孔間距離以上である外枠画像を生成することが好ましい。これにより表示装置１０によれば、左側画像および右側画像において不自然感を与える非対応領域およびクロストーク部分を隠して、観賞者に自然な左側画像および右側画像を提供することができる。
【００４６】
また、生成部１００は、外枠の一部の画像を生成してもよい。これにより、生成部１００は、表示装置が有する外枠と合わせて、左側画像および右側画像の外枠を形成することができる。また、生成部１００は、左辺部分および右辺部分のみを有する外枠画像を生成してもよい。即ち、上辺部分および下辺部分を有さない外枠画像を生成してもよい。これにより、表示装置１０は、少なくとも非対応領域およびクロストーク部分を隠した左側画像および右側画像を提供することができる。
【００４７】
図７は、表示装置１０が観賞者に対して立体的画像を与える観賞範囲の一例を示す。表示装置１０内の表示処理部１２０は、観賞者が存在する立体的画像の観賞位置において、表示部１３０により、観賞者の左眼および右眼に対して左側画像および右側画像をそれぞれ表示させ、他の観賞位置については、表示部１３０により、２次元画像を表示させる。ここで、表示処理部１２０は、一例として、観賞者が範囲内に位置する観賞位置について、表示部１３０により、観賞者の左眼および右眼に対して左側画像および右側画像をそれぞれ表示させる。
【００４８】
本例では、表示装置１０は、図に示す観賞位置７００ａ、７００ｂおよび７００ｃから予め定められた観賞範囲内に位置する一人の観賞者の左眼および右眼に対して左側画像および右側画像を与える。この場合、表示装置１０は、観賞範囲７００ａから観賞範囲な内に位置する観賞者Ａの左眼および右眼に対して左側画像および右側画像を与える。一方、７００ａ、７００ｂおよび７００ｃの観賞範囲外に位置する観賞者Ｂ、観賞者Ｃおよび観賞者Ｄの眼に対しては２次元画像を与える。
【００４９】
表示装置１０は、７００ａ、７００ｂおよび７００ｃのうち２つ以上の観賞位置から所定の観賞範囲内に位置する複数の観賞者に対して、立体的画像を表示してもよい。これによって、表示装置１０は、観賞者が観賞範囲外に位置する場合は２次元画像を観賞者に与えて、観賞範囲内に位置する場合には、立体的画像を観賞者に与えることができる。
【００５０】
また、表示処理部１２０は、表示装置１０が指定する観賞範囲（７００ａ、７００ｂおよび７００ｃ）に近づいた観賞者に対しては立体的画像を表示する一方、遠くの観賞者に対しては２次元画像を表示してもよい。これによって、表示装置１０は、観賞範囲内に位置する観賞者の眼に対して左側画像および右側画像を提供できる。さらに、表示装置１０は、観賞範囲外に位置する観賞者の眼に対して２次元画像を提供できる。これに代えて、表示装置１０は、当該表示装置１０の設定によって、いずれかの観賞位置の観賞範囲内に位置する観賞者または観賞範囲内に近づいた観賞者に対して立体的画像を表示すると共に、その他の観賞者に対して２次元画像を表示するモードと、観賞者を検出した場合に、全観賞位置に対して立体的画像を表示するモードとを備えていてもよい。
【００５１】
また、表示処理部１２０は、検出部１１０により特定された鑑賞者が２以上の観賞位置間を移動した場合に、移動元の観賞位置に対して表示した左側画像および右側画像を移動先の観賞位置に対して表示させてもよい。これによって、表示装置１０は、検出部１１０によって特定した観賞者に対して、表示装置１０の観賞範囲内であれば、当該観賞者がどの位置へ移動しても、当該観賞者を追跡して同じ立体画像を提供できる。
【００５２】
図８は、本実施形態に係るコンピュータ１９００のハードウェア構成の一例を示す。本実施形態に係るコンピュータ１９００は、ホスト・コントローラ２０８２により相互に接続されるＣＰＵ２０００、ＲＡＭ２０２０、グラフィック・コントローラ２０７５、及び表示装置２０８０を有するＣＰＵ周辺部と、入出力コントローラ２０８４によりホスト・コントローラ２０８２に接続される通信インターフェイス２０３０、ハードディスク・ドライブ２０４０、及びＤＶＤドライブ２０６０を有する入出力部と、入出力コントローラ２０８４に接続されるＲＯＭ２０１０、フレキシブルディスク・ドライブ２０５０、及び入出力チップ２０７０を有するレガシー入出力部とを備える。
【００５３】
ホスト・コントローラ２０８２は、ＲＡＭ２０２０と、高い転送レートでＲＡＭ２０２０をアクセスするＣＰＵ２０００及びグラフィック・コントローラ２０７５とを接続する。ＣＰＵ２０００は、ＲＯＭ２０１０及びＲＡＭ２０２０に格納されたプログラムに基づいて動作し、各部の制御を行う。グラフィック・コントローラ２０７５は、ＣＰＵ２０００等がＲＡＭ２０２０内に設けたフレーム・バッファ上に生成する画像データを取得し、表示装置２０８０上に表示させる。これに代えて、グラフィック・コントローラ２０７５は、ＣＰＵ２０００等が生成する画像データを格納するフレーム・バッファを、内部に含んでもよい。
【００５４】
入出力コントローラ２０８４は、ホスト・コントローラ２０８２と、比較的高速な入出力装置である通信インターフェイス２０３０、ハードディスク・ドライブ２０４０、ＤＶＤドライブ２０６０を接続する。通信インターフェイス２０３０は、ネットワークを介して他の装置と通信する。ハードディスク・ドライブ２０４０は、コンピュータ１９００内のＣＰＵ２０００が使用するプログラム及びデータを格納する。ＤＶＤドライブ２０６０は、ＤＶＤ２０９５からプログラム又はデータを読み取り、ＲＡＭ２０２０を介してハードディスク・ドライブ２０４０に提供する。
【００５５】
また、入出力コントローラ２０８４には、ＲＯＭ２０１０と、フレキシブルディスク・ドライブ２０５０、及び入出力チップ２０７０の比較的低速な入出力装置とが接続される。ＲＯＭ２０１０は、コンピュータ１９００が起動時に実行するブート・プログラム、及び／又は、コンピュータ１９００のハードウェアに依存するプログラム等を格納する。フレキシブルディスク・ドライブ２０５０は、フレキシブルディスク２０９０からプログラム又はデータを読み取り、ＲＡＭ２０２０を介してハードディスク・ドライブ２０４０に提供する。入出力チップ２０７０は、フレキシブルディスク・ドライブ２０５０を入出力コントローラ２０８４へと接続すると共に、例えばパラレル・ポート、シリアル・ポート、キーボード・ポート、マウス・ポート等を介して各種の入出力装置を入出力コントローラ２０８４へと接続する。
【００５６】
ＲＡＭ２０２０を介してハードディスク・ドライブ２０４０に提供されるプログラムは、フレキシブルディスク２０９０、ＤＶＤ２０９５、又はＩＣカード等の記録媒体に格納されて利用者によって提供される。プログラムは、記録媒体から読み出され、ＲＡＭ２０２０を介してコンピュータ１９００内のハードディスク・ドライブ２０４０にインストールされ、ＣＰＵ２０００において実行される。
【００５７】
コンピュータ１９００にインストールされ、コンピュータ１９００を表示装置１０の制御用コンピュータとして機能させるプログラムは、生成モジュールと、検出モジュールと、表示処理モジュールとを備える。これらのプログラム又はモジュールは、ＣＰＵ２０００等に働きかけて、コンピュータ１９００を、生成部１００と、検出部１１０と、表示処理部１２０としてそれぞれ機能させる。
【００５８】
これらのプログラムに記述された情報処理は、コンピュータ１９００に読込まれることにより、ソフトウェアと上述した各種のハードウェア資源とが協働した具体的手段である生成部１００と、検出部１１０と、表示処理部１２０として機能する。そして、これらの具体的手段によって、本実施形態におけるコンピュータ１９００の使用目的に応じた情報の演算又は加工を実現することにより、使用目的に応じた特有の表示装置１０が構築される。
【００５９】
一例として、コンピュータ１９００と外部の装置等との間で通信を行う場合には、ＣＰＵ２０００は、ＲＡＭ２０２０上にロードされた通信プログラムを実行し、通信プログラムに記述された処理内容に基づいて、通信インターフェイス２０３０に対して通信処理を指示する。通信インターフェイス２０３０は、ＣＰＵ２０００の制御を受けて、ＲＡＭ２０２０、ハードディスク・ドライブ２０４０、フレキシブルディスク２０９０、又はＤＶＤ２０９５等の記憶装置上に設けた送信バッファ領域等に記憶された送信データを読み出してネットワークへと送信し、もしくは、ネットワークから受信した受信データを記憶装置上に設けた受信バッファ領域等へと書き込む。このように、通信インターフェイス２０３０は、ＤＭＡ（ダイレクト・メモリ・アクセス）方式により記憶装置との間で送受信データを転送してもよく、これに代えて、ＣＰＵ２０００が転送元の記憶装置又は通信インターフェイス２０３０からデータを読み出し、転送先の２０３０又は記憶装置へとデータを書き込むことにより送受信データを転送してもよい。
【００６０】
また、ＣＰＵ２０００は、ハードディスク・ドライブ２０４０、ＤＶＤドライブ２０６０（ＤＶＤ２０９５）、フレキシブルディスク・ドライブ２０５０（フレキシブルディスク２０９０）等の外部記憶装置に格納されたファイルまたはデータベース等の中から、全部または必要な部分をＤＭＡ転送等によりＲＡＭ２０２０へと読み込ませ、ＲＡＭ２０２０上のデータに対して各種の処理を行う。そして、ＣＰＵ２０００は、処理を終えたデータを、ＤＭＡ転送等により外部記憶装置へと書き戻す。このような処理において、ＲＡＭ２０２０は、外部記憶装置の内容を一時的に保持するものとみなせるから、本実施形態においてはＲＡＭ２０２０および外部記憶装置等をメモリ、記憶部、または記憶装置等と総称する。本実施形態における各種のプログラム、データ、テーブル、データベース等の各種の情報は、このような記憶装置上に格納されて、情報処理の対象となる。なお、ＣＰＵ２０００は、ＲＡＭ２０２０の一部をキャッシュメモリに保持し、キャッシュメモリ上で読み書きを行うこともできる。このような形態においても、キャッシュメモリはＲＡＭ２０２０の機能の一部を担うから、本実施形態においては、区別して示す場合を除き、キャッシュメモリもＲＡＭ２０２０、メモリ、及び／又は記憶装置に含まれるものとする。
【００６１】
また、ＣＰＵ２０００は、ＲＡＭ２０２０から読み出したデータに対して、プログラムの命令列により指定された、本実施形態中に記載した各種の演算、情報の加工、条件判断、情報の検索・置換等を含む各種の処理を行い、ＲＡＭ２０２０へと書き戻す。例えば、ＣＰＵ２０００は、条件判断を行う場合においては、本実施形態において示した各種の変数が、他の変数または定数と比較して、大きい、小さい、以上、以下、等しい等の条件を満たすかどうかを判断し、条件が成立した場合（又は不成立であった場合）に、異なる命令列へと分岐し、またはサブルーチンを呼び出す。
【００６２】
また、ＣＰＵ２０００は、記憶装置内のファイルまたはデータベース等に格納された情報を検索することができる。例えば、第１属性の属性値に対し第２属性の属性値がそれぞれ対応付けられた複数のエントリが記憶装置に格納されている場合において、ＣＰＵ２０００は、記憶装置に格納されている複数のエントリの中から第１属性の属性値が指定された条件と一致するエントリを検索し、そのエントリに格納されている第２属性の属性値を読み出すことにより、所定の条件を満たす第１属性に対応付けられた第２属性の属性値を得ることができる。
【００６３】
以上に示したプログラム又はモジュールは、外部の記録媒体に格納されてもよい。記録媒体としては、フレキシブルディスク２０９０、ＤＶＤ２０９５の他に、ＤＶＤ又はＣＤ等の光学記録媒体、ＭＯ等の光磁気記録媒体、テープ媒体、ＩＣカード等の半導体メモリ等を用いることができる。また、専用通信ネットワーク又はインターネットに接続されたサーバシステムに設けたハードディスク又はＲＡＭ等の記憶装置を記録媒体として使用し、ネットワークを介してプログラムをコンピュータ１９００に提供してもよい。
【００６４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６６】
１０  表示装置、１００  生成部、１１０  検出部、１２０  表示処理部、１３０  表示部、１９００  コンピュータ、２０００  ＣＰＵ、２０１０  ＲＯＭ、２０２０  ＲＡＭ、２０３０  通信インターフェイス、２０４０  ハードディスク・ドライブ、２０５０  フレキシブルディスク・ドライブ、２０６０  ＤＶＤドライブ、２０７０  入出力チップ、２０７５  グラフィック・コントローラ、２０８０  表示装置、２０８２  ホスト・コントローラ、２０８４  入出力コントローラ、２０９０  フレキシブルディスク、２０９５  ＤＶＤ
【図１】
2010259017.tif 000003
【図２】
2010259017.tif 000004
【図３】
2010259017.tif 000005
【図４】
2010259017.tif 000006
【図５】
2010259017.tif 000007
【図６】
2010259017.tif 000008
【図７】
2010259017.tif 000009
【図８】
2010259017.tif 000010